(57)【要約】【課題】着用者への刺激を低減し、体液の漏れを抑制することができる着用物品を提供すること。【解決手段】本発明にかかる着用物品によれば、シャーシ（２）の少なくとも第１ウエスト域（４）に位置する、伸縮弾性を有する伸縮性シート（７）が、横方向（Ｘ）に延び縦方向（Ｙ）に対向する第１および第２接合部（４１，４２）において接合されている。このような構成により、上記伸縮性シートにおいて、横方向（Ｘ）の伸張が損なわれることなく、縦方向（Ｙ）の伸張が拘束されるので、本発明にかかるおむつを着用する際に、所定の位置まで容易に引っ張り上げることができる。また、本発明にかかるおむつは、上記伸縮性シートの接合が、広い面ではなく２列のラインを形成する接合部においてなされるため、シートの肌触りが損なわれず、着用者の肌トラブルを防止する。【選択図】図２
2010227153.tif 000002
【特許請求の範囲】
【請求項１】
縦方向および横方向と、第１ウエスト域、第２ウエスト域および前記第１および第２ウエスト域間に位置するクロッチ域とを有するシャーシと、少なくとも前記クロッチ域に配置された吸液構造体とを含み、前記シャーシは、前記シャーシのベースシートを形成する第１シートと、前記第１および第２ウエスト域の少なくとも前記第１ウエスト域において前記第１シートに積層される第２シートとを含み、前記第１および第２シートのどちらか一方が伸縮弾性を有し、他方が非伸縮性である着用物品において、
前記第２シートは、前記横方向における前記第１シートの少なくとも両側領域に位置するとともに、前記縦方向に対向する第１および第２接合部によって、前記第１シートに接合されることを特徴とする前記着用物品。
【請求項２】
前記第１および第２接合部は、前記横方向に間欠的に形成される請求項１記載の着用物品。
【請求項３】
前記吸液構造体は、前記縦方向に対向する第１および第２端縁部ならびに前記横方向に対向する第１および第２側縁部を有し、前記第１端縁部が少なくとも前記第１ウエスト域において前記第１および第２シートの少なくとも前記第２シートと重なっている請求項１または２記載の着用物品。
【請求項４】
前記吸液構造体の前記第１および第２側縁部に沿って前記横方向に対向する前記第３接合部をさらに含み、前記第３接合部によって、前記第１および／または第２シートと前記吸液構造体とは一体的に接合されている請求項３記載の着用物品。
【請求項５】
縦方向および横方向と、第１ウエスト域、第２ウエスト域および前記第１および第２ウエスト域間に位置するクロッチ域とを有するシャーシと、少なくとも前記クロッチ域に配置された吸液構造体とを含み、前記シャーシは、前記シャーシのベースシートを形成する第１シートと、前記第１および第２ウエスト域の少なくとも前記第１ウエスト域において前記第１シートに積層される第２シートとを含み、前記第１および第２シートのどちらか一方が伸縮弾性を有し、他方が非伸縮性である着用物品において、
前記吸液構造体は、前記縦方向に対向する第１および第２端縁部ならびに前記横方向に対向する第１および第２側縁部を有し、前記第１および第２シートと重なり、
前記吸液構造体の前記第１および第２側縁部に沿って前記横方向に対向する第３接合部をさらに含み、前記第３接合部によって、前記第１および／または第２シートと前記吸液構造体とは一体的に接合されていることを特徴とする前記着用物品。
【発明の詳細な説明】
【技術分野】
【０００１】
本発明は、着用物品に関し、より詳細には、使い捨てのおむつ、排泄トレーニングパンツ、失禁ブリーフ等に関する。
【背景技術】
【０００２】
従来、伸縮性シートと非伸縮性シートとによって着用物品のシャーシを形成するものとして、例えば、特許文献１が知られている。この特許文献１によれば、おむつは、伸縮性の外装シートと、非伸縮性の内装シートと、内装シートの身体側に取り付けられた吸収性本体を含む。外装シートは、ウエスト開口部において身体側に折り返され、折り返し部分を形成している。折り返し部分は、内装シートに重なるように折り返され、吸液性本体の前後端部に重なっている。折り返し部分は、吸収性本体の略全幅に亘って接着剤を介して接着されている。
【先行技術文献】
【特許文献】
【０００３】
【特許文献１】特開２００７−３１２９５１号公報（ＪＰ  ２００７−３１２９５１  Ａ）
【発明の概要】
【発明が解決しようとする課題】
【０００４】
吸収性本体はその全幅において、外装シートの折返し部分に接合されているから、吸収性本体と重なった部分においては、接着剤によって剛性が高くなるため、着用者の肌に対する刺激が大きくなり、肌トラブルを生じやすくなるという問題が生じる。また、吸収性本体とは重ならない部分では、接着されていないから、内装シートとの間において相対的に移動しやすくなる。特に、外装シートは伸縮性を有するから、その移動距離は大きくなる。おむつは、着用時にウエスト開口近傍の内外装シートをつまんで引っ張り上げるようにするから、折り返し部分が延びると、おむつを所定の位置まで引っ張りあげることができない可能性がある。おむつが所定の位置まで引っ張りあげられないと、着用者の股とおむつとが密着せず、尿等の体液が漏れるという問題も生じる。
【０００５】
この発明では、着用者への刺激を低減し、体液の漏れを抑制することができる着用物品を提供することを課題とする。
【課題を解決するための手段】
【０００６】
本発明は、縦方向および横方向と、第１ウエスト域、第２ウエスト域および前記第１および第２ウエスト域間に位置するクロッチ域とを有するシャーシと、少なくとも前記クロッチ域に配置された吸液構造体とを含み、前記シャーシは、前記シャーシのベースシートを形成する第１シートと、前記第１および第２ウエスト域の少なくとも前記第１ウエスト域において前記第１シートに積層される第２シートとを含み、前記第１および第２シートのどちらか一方が伸縮弾性を有し、他方が非伸縮性である、着用物品の改良に関わる。
【０００７】
本発明の第１の態様は、前記第２シートが、前記横方向における前記第１シートの少なくとも両側領域に位置するとともに、前記縦方向に対向する第１および第２接合部によって、前記第１シートに接合されることを特徴とする。
【０００８】
本発明の好ましい実施態様において、前記第１および第２接合部は、前記横方向に間欠的に形成される。
【０００９】
他の好ましい実施態様において、前記吸液構造体は、前記縦方向に対向する第１および第２端縁部ならびに前記横方向に対向する第１および第２側縁部を有し、前記第１端縁部が少なくとも前記第１ウエスト域において前記第１および第２シートの少なくとも前記第２シートと重なっている。
【００１０】
他の好ましい実施態様において、前記着用物品は、前記吸液構造体の前記第１および第２側縁部に沿って前記横方向に対向する前記第３接合部をさらに含み、前記第３接合部によって、前記第１および／または第２シートと前記吸液構造体とは一体的に接合されている。
【００１１】
本発明の第２の態様は、前記吸液構造体が、前記縦方向に対向する第１および第２端縁部ならびに前記横方向に対向する第１および第２側縁部を有し、前記第１および第２シートと重なり、前記着用物品は、前記吸液構造体の前記第１および第２側縁部に沿って前記横方向に対向する第３接合部をさらに含み、前記第３接合部によって、前記第１および／または第２シートと前記吸液構造体とは一体的に接合されていることにある。
【発明の効果】
【００１２】
本発明にかかる着用物品によれば、シャーシの少なくとも第１ウエスト域に位置する、伸縮弾性を有する伸縮性シートおよび非伸縮性のシートが、横方向に延び縦方向に対向する第１および第２接合部において接合されている。このような構成により、上記伸縮性シートにおいて、横方向の伸張が損なわれることなく、縦方向の伸張が拘束されるので、本発明にかかるおむつを着用する際に、所定の位置まで容易に引っ張り上げることができる。また、本発明にかかるおむつは、上記２枚のシートの接合が、広い面ではなく２列のラインを形成する接合部においてなされるため、シートの肌触りが損なわれず、着用者の肌トラブルを防止する。
【００１３】
特に、吸液構造体の側縁部に沿って横方向に対向する第２接合部によって伸縮性シートおよび／または非伸縮性シートと吸液構造体とが一体的に接合される態様については、上記引っ張り上げによって吸液構造体も確実に引っ張り上げられる。
【図面の簡単な説明】
【００１４】
【図１】本発明にかかるおむつの部分破断斜視図。
【図２】図１のおむつを展開した部分破断平面図。
【図３】図２のＩＩＩ−ＩＩＩ線に沿う拡大断面図。
【図４】他の実施態様における図２と同様の図の部分図。
【図５】他の実施態様における図２と同様の図。
【図６】他の実施態様における図２と同様の図。
【発明を実施するための形態】
【００１５】
パンツ型の使い捨ておむつを例に挙げ、本発明にかかる着用物品を、添付の図面を参照して詳細に説明する。本明細書中で同一の符号は、各実施態様において対応する部材を表す。
【００１６】
本発明にかかるおむつの第１の実施態様を、図１、２に示す。図１は、本発明にかかるおむつ１であって、ウエスト開口およびレッグ開口を環状に保った状態の部分破断斜視図であり、図２は、図１のおむつの第１および第２ウエスト域の両側接合部を互いに分離した状態の一部破断展開平面図である。
【００１７】
図１、２で示されるように、おむつ１は、シャーシ２と吸液構造体３とを含む。シャーシ２は、第１ウエスト域４、第２ウエスト域５、およびこれらの第１および第２ウエスト域４，５の間に位置するクロッチ域６を有する。第１ウエスト域４からクロッチ域６を介して第２ウエスト域５に連なる方向を縦方向Ｙ、これに直交する方向を横方向Ｘと呼ぶ。おむつ１は、横方向Ｘの寸法を二等分する縦中心線Ｌに関して、対称に構成される。
【００１８】
おむつ１が着用される際、第１ウエスト域４は前ウエスト域であることができ、かつ、第２ウエスト域５は後ウエスト域であることができるように、第１ウエスト域４は、下部トルソの前側に、第２ウエスト域５は、下部トルソの後側に位置する。また、シャーシ２は、着用者の着用状態において身体側およびその反対側を有する。
【００１９】
第１ウエスト域４は、横方向Ｘに対向する一対の両側縁部１４を、第２ウエスト域５は、横方向Ｘに対向する一対の両側縁部１５を、それぞれ有する。側縁部１４と側縁部１５とは互いに重なり合って接合され、シーム部１６を形成している。第１および第２ウエスト域４，５によりウエスト開口１８が形成され、第１および第２ウエスト域４，５とクロッチ域６とにより一対のレッグ開口１９が形成されている。
【００２０】
シャーシ２はベースシート１０を含み、ベースシート１０は、本発明における第１シートに相当するものであって、非伸縮性シートによって形成されている。吸液構造体３は、吸収体３ａが透液性シート３ｂで覆われている構造を有し、ベースシート１０の身体側において接合されている。
【００２１】
シャーシ２はさらに、第１および第２ウエスト域４，５において、本発明における第２シートに相当する帯状の伸縮性第１ウエストシート７および帯状の伸縮性第２ウエストシート１７をそれぞれ有し、これらの第１および第２ウエストシート７，１７は、ベースシート１０に積層されている。ここで、第１および第２ウエストシート７，１７は、縦方向Ｙおよび横方向Ｘに対して伸縮弾性を有する。
【００２２】
第１ウエストシート７は、横方向Ｘに延び縦方向Ｙに対向する第１および第２端縁部２１，２２を有する。縦方向Ｙにおいて、第１端縁部２１は、ウエスト開口１８の周縁と吸液構造体３の第１端縁部３１との間に位置しており、第２端縁部２２は、第１端縁部３１よりもクロッチ域６側に位置している。これらの第１および第２端縁部２１，２２に沿って、横方向Ｘに間欠的に延びる第１および第２接合部４１，４２が形成されている。この第１および第２接合部４１，４２において、第１ウエストシート７は、ベースシート１０に、横方向Ｘに伸張された状態で弾性的に収縮可能に固定されている。また、第２接合部４２において、ベースシート１０と第１ウエストシート７との間に吸液構造体３が介在している領域では、第１ウエストシート７は、ベースシート１０ではなく吸液構造体３に接合されている。
【００２３】
第１ウエストシート７と同様に、第２ウエストシート１７は、横方向Ｘに延び縦方向Ｙに対向する第３および第４端縁部２３，２４を有する。縦方向Ｙにおいて、第３端縁部２３は、ウエスト開口１８の周縁と吸液構造体３の第２端縁部３２との間に位置しており、第４端縁部２４は、第２端縁部２３よりもクロッチ域６側に位置している。第３および第４端縁部２３，２４に沿って、横方向Ｘに間欠的に延びる第４および第５接合部４４，４５が形成されている。この第４および第５接合部４４，４５において、第２ウエストシート１７は、ベースシート１０に、横方向Ｘに伸張された状態で弾性的に収縮可能に固定されている。また、第４接合部４５において、ベースシート１０と第２ウエストシート１７との間に吸液構造体３が介在している領域では、第２ウエストシート１７は、ベースシート１０ではなく吸液構造体３に接合されている。
【００２４】
図３に示すように、ベースシート１０の第１端縁部１０ａは、第１ウエストシート７の側へ折り返されてそこに接合されている。ベースシート１０の第２端縁部１０ｂ（図２）もまた、第２ウエストシート１７の側へ折り返されて接合されている。
【００２５】
第１および第２ウエストシート７，１７が横方向Ｘにおいて伸張することにより、ウエスト開口１８をその最大開口寸法まで広げることができるので、おむつ１を着用することは容易である。また、第１および第２ウエストシート７，１７が横方向Ｘにおいて収縮することにより、おむつ１は、着用者のウエストに密着する。
【００２６】
第１および第２ウエストシート７，１７は、縦方向Ｙにおいては伸張されていない状態で、非伸縮性シートで形成されたベースシート１０に固定されている。したがって、第１および第２ウエストシート７，１７は、それぞれ、第１接合部４１と第２接合部４２との間および第４接合部４４と第５接合部４５との間で、縦方向Ｙにおける伸縮が拘束されている。
【００２７】
上記のような構成により、本発明にかかるおむつ１は、着用する際に着用者が第１ウエスト域４または第２ウエスト域５においてウエスト開口１８近傍をつまんでおむつ１を引っ張り上げるとき、縦方向Ｙにおける伸張が拘束されているので、所定の位置まで引っ張り上げることが容易である。
【００２８】
おむつ１が着用される場合、第１ウエスト域４だけでなく第２ウエスト域５におけるウエスト開口１８近傍をつまんで引っ張り上げることもあることを考慮すると、縦方向Ｙにおける伸縮は、第１および第２ウエストシート７，１７両方において拘束されていることが好ましいが、第１ウエストシート７においてのみ拘束されていてもよい。第２ウエストシート１７は、第３接合部４４においてベースシート１０に固定されているのみであって第４接合部４５を有さない場合、縦方向Ｙにおける伸縮は拘束されていない。
【００２９】
第１および第２ウエストシート７，１７をベースシート１０に固定する各接合部は、連続的に形成されていてもよいが、間欠的または断続的に形成されていることが好ましい。本発明において、「接合部が間欠的に形成される」とは、間欠的に並んだドットまたはライン等の任意の形状を有する小面積の領域である接合部において、複数のシートが接合されていることを意味する。複数のシートが接合されている領域においては、シートの剛性が高くなるため、肌触りが悪くなる。また、伸縮性シートが伸縮する方向に剛性の高い領域が連続して延びている場合、シートの伸縮を妨げるおそれがある。各接合部を間欠的に形成することにより、これらの問題を克服することができる。ただし、各接合部の間隔は、これにおむつの着用時に着用者の足指先が引っかからない程度であることが好ましい。
【００３０】
好ましい実施態様において、ウエスト開口１８の周縁から第１および第２ウエストシート７，１７の領域までの縦方向Ｙにおける寸法は、２０ｍｍ〜４０ｍｍである。これは、おむつ１のウエスト開口１８から親指を入れてその近傍をつまむ際、親指の力がかかることが想定される位置である。このような位置関係を有することにより、おむつのウエスト開口近傍をつまんで着用者の股部に引っ張り上げる際、指先の力がベースシート１０と第１および第２ウエストシート７，１７とが重なっている領域にかかるため、シャーシ２が縦方向Ｙに伸張することなく、おむつ１を容易に着用することができる。
【００３１】
おむつ１は、ベースシート１０および第１および第２ウエストシート７，１７と吸液構造体３とが横方向Ｘにおいて重なっている中央領域ｃ、およびその外側に位置する両側領域ｓとを有する。吸液構造体３に含まれる吸収体は、通常、その吸液性及び拡散性の向上のために吸収性ポリマー粒子、フラッフパルプ等を含むので、第１および第２ウエストシート７，１７と比べて比較的剛性が高い。したがって、第１および第２ウエストシート７，１７の伸縮弾性は、吸収体によって拘束されるところ、その拘束は、中央領域ｃよりも両側領域ｓにおいて少ないので、両側領域ｓにおいて第１および第２ウエストシート７，１７の収縮機能がより十分に発揮される。
【００３２】
本発明にかかるおむつの第２の実施態様を、図４に示す。
【００３３】
第２の実施態様は、第１ウエスト域４の中央領域ｃにおける接合部が異なるほかは、図１〜３に示すおむつ１と同様である。図４において、第１および第２接合部４１，４２は、両側領域ｓにおいてのみ形成されており、ここで、第１ウエストシート７がベースシート１０に接合されている。中央領域ｃには、吸液構造体３の側縁に沿って縦方向Ｙに延びる第３接合部４３が形成されており、ここで、第１ウエストシート７およびベースシート１０は、吸液構造体３と重なる領域においてこれと一体的に接合されている。このような接合は、好ましくは、加熱下のエンボス処理でなされるが、他の手段、例えば、ヒートシール、ソニックシールなどの手段を用いることもできる。
【００３４】
この第３接合部４３は、ベースシート１０と第１ウエストシート７と吸液構造体３とを一体化するので、おむつ１を着用者の股上へおむつ１を引っ張り上げる際に、ベースシート１０と吸液構造体３とのスムーズな連動を実現する。
【００３５】
中央領域ｃには、吸液構造体３の側縁に沿ってのみ第３接合部４３が設けられているが、これらに平行するより多くの接合部、例えば縦中心線Ｌに沿った接合部をさらに有するおむつもまた、実施可能である。さらに、第３接合部４３は、連続的に形成されていても、間欠的または断続的に形成されていてもよい。
【００３６】
本発明において、第１および／または第２ウエストシートは、図示例のように横方向へ連続していることは不可欠要件ではなく、図４に示す吸液構造体３の領域上の仮想線Ｂから両外側へ延びる両側領域Ｂ１に少なくとも設けられておれば、所期の目的が達成される。また、本発明の別の態様においては、第１、第２接合部４１，４２は不可欠要件ではない。
【００３７】
本発明にかかるおむつの第３の実施態様を、図５に示す。
【００３８】
第３の実施態様にかかるおむつ１は、図４に示すように、第１の実施態様とほぼ同様の構成を有するが、第１の実施態様とは対照的に、ベースシートとして伸縮性シートを、第１ウエストシートとして非伸縮性シートを有する。したがって、シャーシ２のベースシート１１０は、縦方向Ｙおよび横方向Ｘに対して伸縮弾性を有する伸縮性シートによって形成されている。さらに、シャーシ２は、第１ウエスト域４において、ベースシート１１０に積層された非伸縮性第１ウエストシート１０８を有する。ベースシート１１０および第１ウエストシート１０８は、横方向Ｘにおいて、吸液構造体３と重なっている中央領域ｃと、その外側に位置する両側領域ｓとを有する。
【００３９】
図５に示すように、第１ウエストシート１０８は、横方向Ｘに延びる第１および第２端縁部１２１，１２２を有する。縦方向Ｙにおいて、第１端縁部１２１は、ウエスト開口の周縁と吸液構造体３の第１端縁部３１との間に位置しており、第２端縁部１２２は、第１端縁部３１よりもクロッチ域６側に位置している。これらの第１および第２端縁部１２１，１２２に沿って、横方向Ｘに延びる第１および第２接合部１４１，１４２が、間欠的に形成されている。ただし、第１および第２接合部１４１，１４２は、連続的に形成されていてもよい。この第１および第２接合部１４１，１４２において、第１ウエストシート１０８は、伸縮性シートで形成されたベースシート１１０が横方向Ｘに伸張された状態で、ベースシート１１０が弾性的に収縮可能であるように固定されている。また、中央領域ｃにおける第２接合部１４２では、ベースシート１１０と第１ウエストシート１０８との間に吸液構造体３が介在しているので、第１ウエストシート１０８は、ベースシート１１０ではなく吸液構造体３に接合されている。
【００４０】
おむつ１は、ベースシート１１０が伸縮性シートで形成されていることにより、その全体が着用者の身体に密着する。また、このようなおむつ１は、伸縮性シートが身体側の反対側から吸液構造体３を被覆しているので、着用した際に伸縮性シートによって吸液構造体３が身体に押さえつけられるため、フィット性が高い。
【００４１】
第１ウエストシート１０８は、ベースシート１１０が縦方向Ｙにおいて伸張されていない状態で、ベースシート１１０に固定されている。したがって、ベースシート１１０は、第１接合部１４１と第２接合部１４２との間で、縦方向Ｙにおける伸縮が拘束されている。このような構成により、本発明にかかるおむつ１は、着用する際に着用者が第１ウエスト域４においてウエスト開口近傍をつまんでおむつ１を所定の位置まで引っ張り上げることが容易である。
【００４２】
おむつ１が着用される際に、第２ウエスト域５におけるウエスト開口近傍をつまんで引っ張り上げることもあることを考慮すると、第１ウエスト域４における非伸縮性第１ウエストシート１０８と同様に、第２ウエスト域５にも非伸縮性第２ウエストシートを接合してもよい。
【００４３】
また、第３の実施態様において、伸縮性シートで形成されたベースシート１１０が収縮すると、身体側に位置する第１ウエストシート１０８の表面にしわが寄るので、着用者の肌を刺激する可能性がある。これを防止するために、身体側に位置する第１ウエストシート１０８のさらに身体側に伸縮性シートを積層し、ベースシート１１０を形成する伸縮性シートと身体側に位置する伸縮性シートによって第１ウエストシート１０８全体を挟み込んで、第１および第２端縁部１２１，１２２に沿って接合してもよい。
【００４４】
第３の実施態様の場合、図６に示すように、ベースシート１１０は、第１および第２ウエスト域４，５ならびにクロッチ域６に分割して形成し、それらをおむつの製造過程で縦方向Ｙに連結するようにされてもよい。そのようにすることは、第１および／または第２ウエスト域４，５を形成するシートを横方向Ｘへ伸張させる上で好ましい。
【００４５】
第１および第２の実施態様において、第１ウエストシート７は、吸液構造体３よりも身体側に位置しており、おむつ１は、第１ウエストシート７とベースシート１０とで吸液構造体３の第１端縁部３１を挟む構造を有する。同様に、第３の実施態様においても、おむつ１は、第１ウエストシート１０８とベースシート１１０とで吸液構造体３の第１端縁部３１を挟む構造を有する。このような構造は、吸液構造体の前端縁部から吸収体がこぼれ落ちるのを防ぐことができるので、好ましい。しかし、吸液構造体３が伸縮性第１ウエストシート７または非伸縮性第１ウエストシート１０８よりも身体側に位置する構造を有するおむつもまた、実施可能である。このような実施態様においては、吸液構造体の身体側にさらにシートを配することによって、吸液構造体の前端縁部を覆ってもよい。
【００４６】
また、第１および第２の実施態様における第１および第２ウエストシート７，１７、ならびに、第３の実施態様における第１ウエストシート１０８は、ベースシートよりも身体側に位置するが、これらのシートは、身体側の反対側においてベースシートに接合されていてもよい。
【００４７】
本発明において使用される伸縮性シートは、伸縮性プラスチックフィルムなどであってもよいが、着用者の肌触りを考慮すると、好ましくは伸縮性繊維不織布である。
【００４８】
本発明において、ベースシートを形成するシートは、好ましくは、難透液性または不透液性である。したがって、ベースシートは、疎水性繊維不織布の複数枚のラミネートや、該不織布とプラスチックフィルムとのラミネートが用いられる。
【００４９】
第１〜３の実施態様におけるおむつは、伸縮性シートまたは非伸縮性シートによりシャーシ全体のベースシートが形成され、このベースシートの身体側に吸液構造体が固定されている構成を有するが、本発明はこのような構成に限定されない。例えば、身体側に位置する透液性の内面シートとその反対側に位置する不透液性の外面シートとのラミネートであるベースシートを有し、この内外面シートの間に吸液構造体が挟み込まれる構成を有するおむつもまた、実施可能である。
【００５０】
本発明において、透液性シートとしては、繊維不織布、多孔性プラスチックフィルム等、不透液性シートとしては、透湿不透液性プラスチックフィルムまたは透湿不透液性プラスチックフィルムと繊維不織布とのラミネート等、吸収体としては、フラッフパルプと高吸収性ポリマー粒子、オプションとして熱可塑性ステープルファイバーとの混合物がティッシュペーパー等の吸液拡散性のシートで被覆されたもの等、それぞれ使い捨ておむつおよび生理用ナプキン等の構成素材として慣用されているものが用いられ得る。
【００５１】
本発明において、おむつを構成する部分どうしが接合されている場合、これらの部分は、ホットメルト接着剤等の接着剤、またはヒートシール、ソニックシール等による熱可塑性シートの溶着等、当該分野で慣用される手段によって接合され得る。
【００５２】
本発明にかかる吸収性物品は、パンツ型の使い捨ておむつを例に挙げて説明されてきたが、例えば、第１および第２ウエスト域を両側縁部において接合してシーム部を形成する代わりにメカニカルファスナ等の固定手段を第１および第２ウエスト域のそれぞれに取り付けた、いわゆるオープン型のおむつにおいて、本発明を実施することも可能である。
【符号の説明】
【００５３】
１      おむつ（着用物品）
２      シャーシ
３      吸液構造体
４      第１ウエスト域
５      第２ウエスト域
６      クロッチ域
７      伸縮性第１ウエストシート（第２シート）
１０    ベースシート（第１シート）
４１    第１接合部
４２    第２接合部
４３    第３接合部
Ｘ      横方向
Ｙ      縦方向
ｃ      中央領域
ｓ      両側領域
【図１】
2010227153.tif 000003
【図２】
2010227153.tif 000004
【図３】
2010227153.tif 000005
【図４】
2010227153.tif 000006
【図５】
2010227153.tif 000007
【図６】
2010227153.tif 000008